(57)【要約】【課題】利用場所での電池切れ警報音の鳴動を、利用者にとって適切な時間に実行することが可能な無線式警報器を提供する。【解決手段】電池駆動の無線式警報器１を、無線通報機２及び無線通報機２にネットワーク経由で接続されたセンタ装置５と共に緊急無線通報システムに用いる。無線式警報器１は、使用している電池の電圧が所定値まで低下したことを検出する電池電圧低下検出手段と、電池電圧低下検出手段により所定値までの電圧低下を検出した場合、電池切れが近いことを示す電池切れ予告情報を無線通報機２に無線送信する送信手段と、この無線送信と同時に計時を開始し、開始から所定時間経過したか否かを判定する経過時間判定手段と、ここで経過したと判定された後に、電池切れの状態であることを示す警報を発する警報手段とを備える。【選択図】図１
2008108058.tif 000002
【特許請求の範囲】
【請求項１】
無線通報機及び該無線通報機にネットワーク経由で接続されたセンタ装置と共に緊急無線通報システムに用いる電池駆動の無線式警報器において、当該無線式警報器で使用している電池の電圧が所定値まで低下したことを検出する電池電圧低下検出手段と、該電池電圧低下検出手段により前記所定値までの電圧低下を検出した場合、電池切れが近いことを示す電池切れ予告情報を前記無線通報機に無線送信する送信手段と、該送信手段による前記電池切れ予告情報の無線送信と同時に計時を開始し、開始から第１の所定時間経過したか否かを判定する経過時間判定手段と、該経過時間判定手段で前記第１の所定時間経過したと判定された後に、電池切れの状態であることを示す警報を発する警報手段とを備えたことを特徴とする無線式警報器。
【請求項２】
前記送信手段は、前記警報手段で前記警報を発すると同時に、前記電池切れの状態であることを示す電池切れ情報を前記無線通報機に無線送信し、当該無線式警報器は、前記無線通報機から、前記電池切れ情報に対する応答として、第２の所定時間だけ警報を停止する指示を受信する受信手段を備え、前記警報手段は、前記受信手段で受信した停止指示に従って前記第２の所定時間だけ警報を停止することを特徴とする請求項１に記載の無線式警報器。
【請求項３】
前記送信手段は、前記警報手段で前記警報を発する前に、前記電池切れの状態であることを示す電池切れ情報を前記無線通報機に無線送信し、当該無線式警報器は、前記無線通報機から、前記電池切れ情報に対する応答として、第２の所定時間だけ警報を停止する指示を受信する受信手段を備え、前記警報手段は、前記受信手段で受信した停止指示に従って前記第２の所定時間だけ警報を停止することを特徴とする請求項１に記載の無線式警報器。
【請求項４】
前記無線通報機から、前記電池切れ予告情報に対する応答として、前記第１の所定時間を更新する指示を受信する受信手段を備え、前記警報手段は、前記受信手段で受信した指示に基づき、前記第１の所定時間を更新することを特徴とする請求項１に記載の無線式警報器。
【請求項５】
前記無線通報機から、前記第１の所定時間を更新する指示を受信する受信手段を備え、前記警報手段は、前記受信手段で受信した指示に基づき、前記第１の所定時間を更新することを特徴とする請求項１に記載の無線式警報器。
【請求項６】
前記受信手段は、前記指示を前記センタ装置から前記無線通報機を介して受信する手段であることを特徴とする請求項２乃至５のいずれか１項に記載の無線式警報器。
【請求項７】
請求項２又は３に記載の無線式警報器と無線通信可能で、且つネットワーク経由で前記センタ装置に接続された無線通報機であって、前記電池切れ情報を前記無線式警報器から受信したときに、前記電池切れ情報を前記センタ装置に前記ネットワークを介して通報する電池切れ通報手段と、該電池切れ通報手段による前記通報への応答として、前記センタ装置から前記ネットワークを介し、電池切れの警報を第２の所定時間だけ停止する指示を受け付ける停止指示受付手段と、該停止指示受付手段で受け付けた指示に基づき、該指示を前記無線式警報器に無線送信する停止指示手段とを備えたことを特徴とする無線通報機。
【請求項８】
請求項２に記載の無線式警報器と無線通信可能で、且つネットワーク経由で前記センタ装置に接続された無線通報機であって、前記電池切れ情報を前記無線式警報器から受信したときに、前記電池切れの状態であることを示す警報を発する無線通報機側警告手段と、該無線通報機側警告手段による前記警告と同時に、前記電池切れ情報を前記センタ装置に前記ネットワークを介して通報する電池切れ通報手段と、該電池切れ通報手段による前記通報への応答として、前記センタ装置から前記ネットワークを介し、電池切れの警報を第２の所定時間だけ停止する指示を受け付ける停止指示受付手段と、該停止指示受付手段で受け付けた指示に基づき、該指示を前記無線式警報器に無線送信すると共に、前記無線通報機側警報手段で発せられている警報を前記第２の所定時間だけ停止させる停止指示手段とを備えたことを特徴とする無線通報機。
【請求項９】
請求項４に記載の無線式警報器と無線通信可能で、且つネットワーク経由で前記センタ装置に接続された無線通報機であって、前記電池切れ予告情報を前記無線式警報器から受信したときに、前記電池切れが近い状態を前記センタ装置に前記ネットワークを介して通報する電池切れ予告通報手段と、該電池切れ予告通報手段による前記通報への応答として、前記センタ装置から前記ネットワークを介し、前記第１の所定時間を更新する指示を受け付ける更新指示受付手段と、該更新指示受付手段で受け付けた指示に基づき、該指示を前記無線式警報器に無線送信する更新指示手段とを備えたことを特徴とする無線通報機。
【請求項１０】
請求項７又は８に記載の無線通報機にネットワーク経由で接続されたセンタ装置であって、前記電池切れ通報手段による通報を受信したとき、該通報の時刻に基づき、前記第２の所定時間を決定し、該決定した第２の所定時間だけ電池切れ警報を停止する指示を、前記ネットワークを介して前記無線通報機に送信することを特徴とするセンタ装置。
【請求項１１】
請求項９に記載の無線通報機にネットワーク経由で接続されたセンタ装置であって、前記電池切れ予告通報手段による通報を受信したとき、該通報の時刻に基づき、該通報に係わる無線式警報器の前記第１の所定時間を決定し、該決定した第１の所定時間に更新する指示を、前記ネットワークを介して前記無線通報機に送信することを特徴とするセンタ装置。
【発明の詳細な説明】
【技術分野】
【０００１】
本発明は、緊急無線通報システムにおいて使用する、無線式警報器、無線通報機、及びセンタ装置に関する。
【背景技術】
【０００２】
一般住宅に設置する電池駆動の住宅用火災警報器は、消防鑑定細則により電池が消耗して電池切れが発生した場合、電池切れである旨を警報音等で利用者に知らせることとされている。実際、電池駆動の住宅用火災警報器においては、電池が消耗して電池切れが発生した場合、電池切れである旨を警報音（ブザー音や音声音など）を鳴動させて利用者に知らせているものが多い。
【０００３】
また、緊急無線通報システムに用いる無線式住宅用火災警報器においても、電池切れが発生した場合、電池切れ情報を無線送信すると同時に電池切れを警報音等で利用者に知らせている。尚、無線式住宅用火災警報器に関し、特許文献１には、内蔵電池の固定構造が簡単で、電池の取り出しも容易になり、さらに天井からの漏水による電池の悪影響を少なくするための技術が開示されている。
【特許文献１】特開２００２−２１６２６２号公報
【発明の開示】
【発明が解決しようとする課題】
【０００４】
しかしながら、住宅用（ホテルなどで用いられる場合もあり）の火災警報器やガス漏れ警報器において発せられるブザー音や音声音などの警報音は、電池電圧が設定値まで低下すると即座に鳴動するため、例えば煙感知式火災警報器を寝室に取り付けた場合、就寝中に電池切れを知らせる警報音が鳴動し、睡眠を阻害される恐れがある。また、電池切れが発生していきなり警報音が鳴動すると、利用者がその対処方法を理解していない場合は混乱することがある。
【０００５】
本発明は、上述のごとき実情に鑑みてなされたものであり、利用場所での電池切れ警報音の鳴動を、利用者にとって適切な時間に実行することが可能な無線式警報器、その警報器から無線通報を受ける無線通報機、及びその無線通報機から通報を受けるセンタ装置を提供することをその目的とする。
【課題を解決するための手段】
【０００６】
上述のごとき課題を解決するために、本発明の第１の技術手段は、無線通報機及び該無線通報機にネットワーク経由で接続されたセンタ装置と共に緊急無線通報システムに用いる電池駆動の無線式警報器において、当該無線式警報器で使用している電池の電圧が所定値まで低下したことを検出する電池電圧低下検出手段と、該電池電圧低下検出手段により前記所定値までの電圧低下を検出した場合、電池切れが近いことを示す電池切れ予告情報を前記無線通報機に無線送信する送信手段と、該送信手段による前記電池切れ予告情報の無線送信と同時に計時を開始し、開始から第１の所定時間経過したか否かを判定する経過時間判定手段と、該経過時間判定手段で前記第１の所定時間経過したと判定された後に、電池切れの状態であることを示す警報を発する警報手段とを備えたことを特徴としたものである。
【０００７】
第２の技術手段は、第１の技術手段において、前記送信手段は、前記警報手段で前記警報を発すると同時に、前記電池切れの状態であることを示す電池切れ情報を前記無線通報機に無線送信し、当該無線式警報器は、前記無線通報機から、前記電池切れ情報に対する応答として、第２の所定時間だけ警報を停止する指示を受信する受信手段を備え、前記警報手段は、前記受信手段で受信した停止指示に従って前記第２の所定時間だけ警報を停止することを特徴としたものである。
【０００８】
第３の技術手段は、第１の技術手段において、前記送信手段は、前記警報手段で前記警報を発する前に、前記電池切れの状態であることを示す電池切れ情報を前記無線通報機に無線送信し、当該無線式警報器は、前記無線通報機から、前記電池切れ情報に対する応答として、第２の所定時間だけ警報を停止する指示を受信する受信手段を備え、前記警報手段は、前記受信手段で受信した停止指示に従って前記第２の所定時間だけ警報を停止することを特徴としたものである。
【０００９】
第４の技術手段は、第１の技術手段において、前記無線通報機から、前記電池切れ予告情報に対する応答として、前記第１の所定時間を更新する指示を受信する受信手段を備え、前記警報手段は、前記受信手段で受信した指示に基づき、前記第１の所定時間を更新することを特徴としたものである。
【００１０】
第５の技術手段は、第１の技術手段において、前記無線通報機から、前記第１の所定時間を更新する指示を受信する受信手段を備え、前記警報手段は、前記受信手段で受信した指示に基づき、前記第１の所定時間を更新することを特徴としたものである。
【００１１】
第６の技術手段は、第２乃至第５のいずれかの技術手段において、前記受信手段は、前記指示を前記センタ装置から前記無線通報機を介して受信する手段であることを特徴としたものである。
【００１２】
第７の技術手段は、第２又は第３の技術手段における無線式警報器と無線通信可能で、且つネットワーク経由で前記センタ装置に接続された無線通報機であって、前記電池切れ情報を前記無線式警報器から受信したときに、前記電池切れ情報を前記センタ装置に前記ネットワークを介して通報する電池切れ通報手段と、該電池切れ通報手段による前記通報への応答として、前記センタ装置から前記ネットワークを介し、電池切れの警報を第２の所定時間だけ停止する指示を受け付ける停止指示受付手段と、該停止指示受付手段で受け付けた指示に基づき、該指示を前記無線式警報器に無線送信する停止指示手段とを備えたことを特徴としたものである。
【００１３】
第８の技術手段は、第２の技術手段における無線式警報器と無線通信可能で、且つネットワーク経由で前記センタ装置に接続された無線通報機であって、前記電池切れ情報を前記無線式警報器から受信したときに、前記電池切れの状態であることを示す警報を発する無線通報機側警告手段と、該無線通報機側警告手段による前記警告と同時に、前記電池切れ情報を前記センタ装置に前記ネットワークを介して通報する電池切れ通報手段と、該電池切れ通報手段による前記通報への応答として、前記センタ装置から前記ネットワークを介し、電池切れの警報を第２の所定時間だけ停止する指示を受け付ける停止指示受付手段と、該停止指示受付手段で受け付けた指示に基づき、該指示を前記無線式警報器に無線送信すると共に、前記無線通報機側警報手段で発せられている警報を前記第２の所定時間だけ停止させる停止指示手段とを備えたことを特徴としたものである。
【００１４】
第９の技術手段は、第４の技術手段における無線式警報器と無線通信可能で、且つネットワーク経由で前記センタ装置に接続された無線通報機であって、前記電池切れ予告情報を前記無線式警報器から受信したときに、前記電池切れが近い状態を前記センタ装置に前記ネットワークを介して通報する電池切れ予告通報手段と、該電池切れ予告通報手段による前記通報への応答として、前記センタ装置から前記ネットワークを介し、前記第１の所定時間を更新する指示を受け付ける更新指示受付手段と、該更新指示受付手段で受け付けた指示に基づき、該指示を前記無線式警報器に無線送信する更新指示手段とを備えたことを特徴としたものである。
【００１５】
第１０の技術手段は、第７又は第８の技術手段における無線通報機にネットワーク経由で接続されたセンタ装置であって、前記電池切れ通報手段による通報を受信したとき、該通報の時刻に基づき、前記第２の所定時間を決定し、該決定した第２の所定時間だけ電池切れ警報を停止する指示を、前記ネットワークを介して前記無線通報機に送信することを特徴としたものである。
【００１６】
第１１の技術手段は、第９の技術手段における無線通報機にネットワーク経由で接続されたセンタ装置であって、前記電池切れ予告通報手段による通報を受信したとき、該通報の時刻に基づき、該通報に係わる無線式警報器の前記第１の所定時間を決定し、該決定した第１の所定時間に更新する指示を、前記ネットワークを介して前記無線通報機に送信することを特徴としたものである。
【発明の効果】
【００１７】
本発明によれば、無線式警報器に電池切れが発生した場合でも、電池切れ警報音の鳴動を、利用者にとって適切な時間に実行することが可能となる。
【発明を実施するための最良の形態】
【００１８】
本発明に係る無線式警報器、無線通報機、及びセンタ装置は、それらで緊急無線通報システムを構成するものである。無線式警報器としては、熱感知センサ等を搭載した火災警報器やガス検知センサを搭載したガス漏れ警報器など、各種センサ機器を搭載した様々な警報器が適用できる。但し、本発明に係る無線式警報器は、電池駆動であるものとする。以下、無線式警報器の一例として、無線式住宅用火災警報器を挙げて説明する。
【００１９】
図１は、本発明の第１の実施形態に関わる緊急無線通報システムのシステム構成例を示す概略図、図２は、図１のシステムにおける無線式住宅用火災警報器の一構成例を示すブロック図、図３は、図２の無線式住宅用火災警報器における電池電圧低下に起因する処理例を示すタイムチャートである。
【００２０】
本発明の第１の実施形態に関わる緊急無線通報システム（以下、本システムという）は、図１で例示するように、利用者宅に設置した１〜ｎ台の無線式住宅用火災警報器１（以下、単に火災警報器という）、無線通報受信機２、伝送装置（ＮＣＵ）３、電話会社の電話回線と交換機４、及びサービス提供者が持つセンタ装置５で構成される。
【００２１】
尚、電話会社の電話回線と交換機４は、携帯電話回線やＰＨＳ回線、及びそれらの基地局などに置き換えることが可能であり、無線通報受信機２とセンタ装置５とが何らかのネットワーク経由で接続されていればよい。センタ装置５は、例えば、ＣＰＵ等の演算処理装置、ＲＯＭやＥＥＰＲＯＭやハードディスク等のプログラム及びデータ記憶領域、ＲＡＭ等のプログラム実行領域、通信インターフェース、及び入出力インターフェースなどで構成される汎用コンピュータ（ＰＣやサーバ）で構成できる。
【００２２】
本システムは、利用者宅に設置された火災警報器１が、火災を感知すると即座に火災通報を無線通報受信機２に無線送信する。無線通報受信機２は、受信した火災通報を、ＮＣＵ３を経由して電話回線に載せてセンタ装置５に通報を上げる。この火災通報を確認したサービス提供者は、利用者が指定する連絡先や近隣の消防署に連絡する。
【００２３】
火災警報器１は、緊急を要する火災警報以外で、電池切れ通報、故障通報、テスト通報、定期通報等の情報を発信する。サービス提供者側は、これらの情報を得て利用者宅に設置されている機器を管理している。このうち、故障通報、テスト通報、定期通報などの通報は、予告が不能な通報であるか、或いは予告が必要でない通報である。一方、本発明に係わる電池切れの通報は予告が可能な通報である。
【００２４】
図２で例示する火災警報器１は、電池１０と共に、タイマ回路１１、第１電源回路１２、ブザー１３、警報回路１４、制御回路１５、電池電圧検出回路１６、センサ回路１７、第２電源回路１８、及び無線送信回路１９を備える。
【００２５】
電池１０は、ブザー１７、センサ回路１７、第１電源回路１２、及び第２電源回路１８に対し、直流電源を供給する。第１電源回路１２は、電池１０の電圧を所定電圧に変換し、タイマ回路１１、警報回路１４、及び制御回路１５に供給する。第２電源回路１８は、電池１０の電圧を異なる所定電圧に変換し、無線送信回路１９に供給する。
【００２６】
電池電圧検出回路１６は、第１電源回路１２に印加される電池１０の電圧が、予め設定された所定値（所定の電圧値）まで低下することを検出し、電池電圧低下検出の情報を制御回路１５に送る。電池電圧検出回路１６及び制御回路１５で例示のごとく火災警報器１は、火災警報器１で使用している電池１０の電圧が所定値まで低下したことを検出する電池電圧低下検出手段を備える。
【００２７】
電池電圧低下が検出されると、制御回路１５は、タイマ回路１１等、計時手段により計時を開始させると同時に、無線送信回路１９に電池切れ予告情報を送出する。無線送信回路１９は、この電池切れ予告情報を対向する無線通報受信機２に送信する。制御回路１５及び無線送信回路１９で例示のごとく火災警報器１は、電池電圧低下検出手段により所定値までの電圧低下を検出した場合、電池切れが近いことを示す電池切れ予告情報を速やかに無線通報受信機２に無線送信する送信手段を備える。
【００２８】
また、制御回路１５は、計時開始から第１の所定時間（設定時間；例えば７７時間）が到来してタイマ回路１１がカウントアップすると、警報回路１４を作動させてブザー１３で電池切れの警報音を鳴動させる。第１の所定時間は、制御回路１５のメモリに格納しておけばよい。タイマ回路１１及び制御回路１５で例示のごとく火災警報器１は、電池切れ予告情報の無線送信と同時に計時を開始し、開始から第１の所定時間経過したか否かを判定する経過時間判定手段を備える。さらに、ブザー１３、警報回路１４、及び制御回路１５で例示のごとく火災警報器１は、経過時間判定手段で第１の所定時間経過したと判定された後に、電池切れの状態であることを示す警報を発する警報手段を備える。
【００２９】
電池切れ予告情報送信に関し、図３を参照してより具体的には説明する。まず、電池電圧検出回路１６が電池電圧低下を検出し制御回路１５に送り、制御回路１５で電池電圧低下が確定する。制御回路１５は、無線送信回路１９とのインターフェース回路（図示せず）を介して、無線送信回路１９に対し、電池電圧低下信号“ＴＢｏｎ”を送出する。無線送信回路１９は、電池電圧低下信号“ＴＢｏｎ”を検出し、電池切れ予告信号“ＴＸｏｎ”を即座に無線送信する。
【００３０】
また、上述の第１の所定時間は、火災警報器１に設けた設定スイッチで自由に設定可能とするとよい。電池切れ情報を無線送信してから電池切れの警報音が鳴動開始するまでの第１の所定時間（設定時間）と電池切れの警報音が鳴動開始してからの規定時間（消防鑑定細則で規定された作動時間）は、火災警報器が正常に作動するに十分な電池容量を残量していることは言うまでもない。ここで７７時間の例を挙げたが、これは、７７時間以内には、電池が消耗しきらない（７７時間後にも消防鑑定規則での作動時間は鳴動するための電池残量を残している）だけでなく、電池交換作業にその利用者宅を訪問できるか或いは利用者宅に電池交換作業の方法を伝えることができることを前提としたものである。
【００３１】
また、図２では、警報としてブザー音を発するようにブザー１３及びその発信音を制御する警報回路１４を具備した例を示したが、これと併せて或いはこの代わりに、表示装置及びその表示制御を行う警報回路を具備してもよい。ここでの表示装置としては、ディスプレイ上に文字や記号で表示するものや、単にＬＥＤ等のランプを表示するものなど、警報を利用者に視認させるものであればどのようなものを採用してもよい。
【００３２】
また、電池切れ予告情報はサービス提供者へ知らせることが好ましく、そのため、無線通報受信機２からセンタ装置５へ電池切れ予告情報を送信するとよい。すなわち、無線通報受信機２は、電池切れ予告情報を火災警報器１から受信したときに、電池切れの間近の状態であることを示す警報を発する（ここでは音は発せず電池切れ予告情報の表示出力を行うだけが好ましい）と同時に、その状態をセンタ装置５に通報するように構成するとよい。これにより利用者宅で電池切れ警報音が鳴動する数日前に電池切れ予告情報を知ることで、電池が消耗している火災警報器を特定できるだけでなく、利用者に適切な対処方法を案内したり、必要によっては電池又は機器の交換対応が速やかに行える。また、利用者宅内に設置した無線通報受信機２で電池切れ予告情報を表示するよう構成することで、利用者に対し、この予備警報によって複数の住宅用火災警報器１の中から電池切れが間近なものを知らせることができる。
【００３３】
また、電池切れ予告情報だけでなく電池切れ情報も、火災警報器１から無線通報受信機２を介してセンタ装置５へ送信することが好ましい。このためには、制御回路１５及び無線送信回路１９で例示した送信手段は、警報を発すると同時に、電池切れの状態であることを示す電池切れ情報を無線通報受信機２に無線送信するよう構成する。そして、無線通報受信機２は、電池切れ情報を火災警報器１から受信したときに、電池切れの状態であることを示す警報を発する（ここでは音も発することが好ましい）と同時に、その状態をセンタ装置５に通報するとよい。無線通報受信機２での警報は必須ではないが、発することが好ましい。
【００３４】
このように、本実施形態によれば、火災警報器１に電池切れが発生した場合でも、電池切れ警報音の鳴動を、利用者にとって適切な時間に実行することが可能となる。すなわち、本実施形態では、電池切れが発生して警報音が鳴動する前に、電池の消耗状態を検出し電池切れが近い（電池切れ間近である）ことを利用者又はサービス提供者に知らせることができ、事前対応が可能となる。
【００３５】
図４は、本発明の第２の実施形態に関わる緊急無線通報システムのシステム構成例を示す概略図、図５は、図４のシステムにおける無線式住宅用火災警報器の一構成例を示すブロック図、図６は、図５の無線式住宅用火災警報器における電池電圧低下に起因する処理例を示すタイムチャートである。
【００３６】
図４乃至図６で例示する本発明の第２の実施形態に関わる緊急無線通報システム（以下、本システムという）は、図１乃至図３で例示したシステムにおいて、無線通報受信機２から火災警報器１への情報送信も可能とした点で異なる。本システムは、無線通報受信機２の代わりに無線通報送受信機７が設けられ、火災警報器１内部の無線送信回路１９の代わりに火災警報器６内部の無線送受信回路６９が設けられている他は、図１及び図２のシステムと回路構成の点で同じであり、同様の箇所の説明は省略する。
【００３７】
図２の火災警報器１と同様に、火災警報器６は、電池電圧低下が検出されると、計時開始、無線送受信回路６９から対向する無線通報送受信機７への電池切れ予告情報の送出を実行する。また、制御回路６５は、計時開始から第１の所定時間が到来してタイマ回路６１がカウントアップすると、警報回路６４を作動させてブザー６３で電池切れの警報音を鳴動させる。この例でも警報としてブザー音と併せて或いはこの代わりに、表示装置及びその表示制御を行うようにしてもよい。
【００３８】
本システムにおける制御回路６５は、警報回路６４を作動させてブザー６３で電池切れの警報音を鳴動させると同時に、無線送受信回路６９を作動させて無線通報送受信機７に電池切れ情報を無線送信させる。
【００３９】
このように、本システムは、上述した、電池切れ情報の火災警報器６から無線通報送受信機７への送信を前提とする。本システムにおける火災警報器６は、電池切れ情報に対する無線通報送受信機７からの応答として、第２の所定時間だけ警報を停止する指示を受信する手段（例えば無線送受信回路６９）を備える。そして、制御回路６５、警報回路６４、及びブザー６３で例示される警報手段は、ここで受信した停止指示に従って第２の所定時間だけ警報を停止する。
【００４０】
一方、無線通報送受信機７は、電池切れ情報を火災警報器６から受信したときに、電池切れの状態であることを示す警報を発する無線通報機側警報手段と、その警報と同時に、電池切れ情報をセンタ装置５にネットワークを介して通報する電池切れ通報手段とを備える。さらに、無線通報送受信機７は、電池切れ通報手段による通報への応答として、センタ装置５からネットワークを介し、電池切れ警報を第２の所定時間だけ停止する指示を受け付ける停止指示受付手段と、ここで受け付けた指示に基づき、その指示を火災警報器６に無線送信すると共に、無線通報機側警報手段で発せられている警報を第２の所定時間だけ停止させる停止指示手段とを備える。
【００４１】
このように、無線通報送受信機７は、電池切れ情報を火災警報器６から受信したときに、電池切れの状態であることを示す警報を発する（ここでは音も発することが好ましい）と同時に、その状態をセンタ装置５に通報する。無線通報送受信機７での警報は必須ではないが、発することが好ましい。
【００４２】
センタ装置５では、このような警報停止指示を送信する必要がある。そのため、センタ装置５は、電池切れ通報手段による通報を受信したとき、その通報の時刻に基づき第２の所定時間を決定し、決定した第２の所定時間だけ電池切れ警報を停止する指示を、ネットワークを介して無線通報送受信機７に送信する。センタ装置５に時計と通信インターフェースを設けておけば、このような処理はプログラムとしてセンタ装置５に実行可能に組み込むことができる。
【００４３】
上述したように、本システムでは、最終的にはセンタ装置５へ電池切れ情報が送信されることが好ましい。このような構成により、センタ装置５から実行された警報停止指示を無線通報送受信機７を介して受信でき、無線通報送受信機７でも警報を発するよう構成した場合には、センタ装置５からの警報停止指示によりこの警報も停止させることができる。尚、無線通報送受信機７で警報を発しない構成では、当然このような警報停止指示は火災警報器６に送信するだけでよい。
【００４４】
尚、最終的にセンタ装置５へ電池切れ情報が送信されない構成では、無線通報送受信機７自身がこの警報停止指示を出すこととなるが、無線通報送受信機７が時計を具備していれば現在時刻により第２所定時間としてどれだけ停止すべきかを決定して火災警報器６へ指示することができる。
【００４５】
電池切れ予告情報や電池切れ情報の送信に関し、図６を参照してより具体的には説明する。まず、電池電圧検出回路６６が電池電圧低下を検出し制御回路６５に送り、制御回路６５で電池電圧低下が確定する。制御回路６５は、無線送受信回路６９とのインターフェース回路（図示せず）を介して、無線送受信回路６９に対し、電池電圧低下信号“ＴＢｏｎ”を送出する。無線送受信回路６９は、電池電圧低下信号“ＴＢｏｎ”を検出し、電池切れ予告信号“ＴＸｏｎ”を即座に無線送信する。無線通報送受信機７は、電池切れ予告信号を受信すると、電池切れが近いことを表示或いは警報音で示し、それと同時に電池切れ予告信号をセンタ装置５に転送して通報する。サービス提供者は、センタ装置５で電池切れ予告信号を受信する。
【００４６】
制御回路６５は、タイマ回路６１がカウントアップするとインターフェース回路（図示せず）を介して無線送受信回路６９に対し、カウントアップ信号“ＴＢｏｎ”を送出する。無線送受信回路６９は、カウントアップ信号“ＴＢｏｎ”を検出し、電池切れ信号“ＴＸｏｎ”を即座に無線送信する。無線通報送受信機７は電池切れ信号を受信すると、電池切れであることを表示或いは警報音で示し、それと同時に電池切れ信号をセンタ装置５に転送して通報する。
【００４７】
サービス提供者は、センタ装置５で電池切れ信号を受信する。センタ装置５がこのようにして電池切れ情報を受信した場合（設定時間が経過して利用者宅では電池切れ警報音が鳴動し始めている）、利用者が就寝中であるような時間帯であれば、センタ装置５から電池切れ警報停止信号を、無線通報送受信機７を介して火災警報器６に無線送信する。火災警報器６が電池切れ警報停止信号“ＲＸｏｎ”を受信した場合、制御回路６５は警報回路６４に対し、サービス提供者がセンタ装置５から設定した時間（第２の所定時間）だけ電池切れ警報音を停止することができる。これにより火災警報器６の電池切れ警報音の鳴動を、例えば真夜中から翌朝にずらすことができる。
【００４８】
また、本システムにおいても上述の第１の所定時間は自由に設定可能としてもよい。火災警報器６に設けた設定スイッチの代わりに、或いはそれに加えて、外部からのデータ書き込みにより、設定できる。外部からのデータ書き込みは、火災警報器６に、無線通報送受信機７から第１の所定時間を更新する指示（設定時間更新信号“ＲＸｏｎ”）を受信する手段（例えば無線送受信回路６９）を備えておくことで実現できる。そして、警報手段は、ここで受信した指示に基づき第１の所定時間を更新する。ここでの更新としては、初期値からの更新、すなわち設定も含まれるものとする。この指示は、センタ装置５から実行され無線通報送受信機７を介して受信するとよいが、無線通報送受信機７自身が指示を出してもよい。
【００４９】
また、本実施形態においても、図１乃至図３で説明した実施形態と同様に、電池切れ予告情報もサービス提供者へ知らせることが好ましい。そのため、無線通報送受信機７からセンタ装置５へ電池切れ予告情報を送信するとよい。また、利用者宅内に設置した無線通報送受信機６で電池切れ予告情報を表示するよう構成することで、利用者に対し、この予備警報によって複数の住宅用火災警報器６の中から電池切れが間近なものを知らせることができる。
【００５０】
このように、本実施形態によれば、利用者宅で電池切れ警報音が鳴動する前に電池切れ間近であることをサービス提供者或いは利用者が知ることができ、事前対応が可能となる。さらに本実施形態によれば、サービス提供者がセンタ装置５で火災警報器６の電池切れ予告情報を受信した後、再度電池切れ情報を受信した時（火災警報器６の電池切れ警報音が利用者宅で鳴動し始めた時）、センタ装置５から設定した第２の所定時間だけ火災警報器６の電池切れ警報音の鳴動を一時停止させ、利用者が就寝中であるような時間帯から例えば翌朝にずらすことができる。
【００５１】
次に、再度、図４乃至図６を参照して、本発明の第３の実施形態について説明する。本発明の第３の実施形態に関する緊急無線通報システム（以下、本システムという）は、第２の実施形態のシステムにおいて、電池切れ警報を一度も発する（鳴動させる）ことなくセンタ装置５（又は無線通報送受信機７）で事前に第２の所定時間だけ停止させるよう構成する。
【００５２】
そのため、本システムにおける制御回路６５は、警報回路６４を作動させてブザー６３で電池切れの警報音を鳴動させる前に、無線送受信回路６９を作動させて無線通報送受信機７に電池切れ情報を無線送信させる。鳴動させる前とは、鳴動時（予告から第１の所定時間後）に対し、電池切れ情報の無線送信に対する応答を受信し第２の所定時間だけ遅らせる処理を実行できる時間だけ余裕をもたせた時を指す。
【００５３】
このように、本システムにおける火災警報器６は、電池切れ警報を発する前に無線通報送受信機７に電池切れ情報を無線送信すると共に、無線通報送受信機７から、電池切れ情報に対する応答として第２の所定時間だけ警報を停止する指示を受信する受信手段を備える。そして、警報手段は、ここで受信した指示に基づき第２の所定時間だけ警報を停止する。
【００５４】
そして、無線通報送受信機７では、停止指示手段が火災警報器６に対してセンタ装置５から受けた警報停止指示を転送するか、或いは無線通報送受信機７自身が生成した警報停止指示を火災警報器６に対して送ればよい。
【００５５】
本システムにおけるその他の処理や応用例については、第２の実施形態のシステムと同様である。但し、無線通報送受信機７で警報を発する無線通報機側警報手段を備えてもよいが、電池切れ情報の受信を契機として発するのではなく上述の余裕をもたせて発するよう構成する必要がある。その場合、停止指示手段は、火災警報器６に対して警報停止指示を転送するだけでなく、無線通報機側警報手段で発せられる予定の警報を第２の所定時間だけ遅らせるのがよい。
【００５６】
次に、再度、図４乃至図６を参照して、本発明の第４の実施形態について説明する。本発明の第４の実施形態に関する緊急無線通報システム（以下、本システムという）は、第２の実施形態のシステムにおいて、電池切れ予告情報に基づき第１の所定時間を変更することで、電池切れ警報を一度も発する（鳴動させる）ことなくセンタ装置５（又は無線通報送受信機７）で事前に停止させるよう構成する。
【００５７】
そのため、本システムにおける制御回路６５は、電池切れ予告情報に対する応答として、無線送受信回路６９で無線通報送受信機７から第１の所定時間を更新する指示を受信し、この指示に基づき更新を実行する。このように、本システムにおける火災警報器６は、無線通報送受信機７から、電池切れ予告情報に対する応答として、第１の所定時間を更新する指示を受信する受信手段を備える。そして、警報手段は、ここで受信した指示に基づき第１の所定時間を更新する。第２の実施形態では、センタ装置５又は無線通報送受信機７から自発的に更新を実行したが、本実施形態では、このように電池切れ予告信号をトリガとして更新指示（設定時間更新信号“ＲＸｏｎ”）を受信して更新を実行することとなる。
【００５８】
このように、本システムは、上述した、電池切れ情報の火災警報器６から無線通報送受信機７への送信を前提とするか否かに拘わらず、電池切れ予告情報の火災警報器６から無線通報送受信機７への送信を前提とする。
【００５９】
一方、無線通報送受信機７は、電池切れ予告情報を火災警報器６から受信したときに、電池切れが近い状態（電池切れ予告情報そのものでよい）をセンタ装置５にネットワークを介して通報する電池切れ予告通報手段と、この通報への応答として、センタ装置５からネットワークを介し、第１の所定時間を更新する指示を受け付ける更新指示受付手段とを備える。さらに、無線通報送受信機７は、更新指示受付手段で受け付けた指示に基づき、その指示を火災警報器６に無線送信する更新指示手段を備える。
【００６０】
センタ装置５は、電池切れ予告通報手段による通報を受信したとき、その通報の時刻に基づき、その通報に係わる火災警報器６の第１の所定時間を決定し、決定した第１の所定時間に更新する指示を、ネットワークを介して無線通報送受信機７に送信する。このような構成により、火災警報器６における第１の所定時間を更新させることができる。
【００６１】
また、このように第１の所定時間更新指示は、センタ装置５から実行され無線通報送受信機７を介して火災警報器６で受信するとよいが、無線通報送受信機７自身が同様に指示を出してもよい。すなわち、最終的にセンタ装置５へ電池切れ予告情報が送信されない構成では、無線通報送受信機７自身がこの更新指示を出すこととなるが、無線通報送受信機７が時計を具備していれば現在時刻により第１所定時間としてどの値を採用すべきかを決定して火災警報器６へ指示することができる。
【００６２】
本システムにおけるその他の処理や応用例については、第２の実施形態のシステムと同様である。但し、無線通報送受信機７で警報を発する無線通報機側警報手段を備える必要は必ずしもない。
【図面の簡単な説明】
【００６３】
【図１】本発明の第１の実施形態に関わる緊急無線通報システムのシステム構成例を示す概略図である。
【図２】図１のシステムにおける無線式住宅用火災警報器の一構成例を示すブロック図である。
【図３】図２の無線式住宅用火災警報器における電池電圧低下に起因する処理例を示すタイムチャートである。
【図４】本発明の第２の実施形態に関わる緊急無線通報システムのシステム構成例を示す概略図である。
【図５】図４のシステムにおける無線式住宅用火災警報器の一構成例を示すブロック図である。
【図６】図５の無線式住宅用火災警報器における電池電圧低下に起因する処理例を示すタイムチャートである。
【符号の説明】
【００６４】
１，６…火災警報器、２…無線通報受信機、３…ＮＣＵ、４…交換機、５…センタ装置、７…無線通報送受信機、１０，６０…電池、１１，６１…タイマ回路、１２，６２…第１電源回路、１３，６３…ブザー、１４，６４…警報回路、１５，６５…制御回路、１６，６６…電池電圧検出回路、１７，６７…センサ回路、１８，６８…第２電源回路、１９…無線送信回路、６９…無線送受信回路。
【図１】
2008108058.tif 000003
【図２】
2008108058.tif 000004
【図３】
2008108058.tif 000005
【図４】
2008108058.tif 000006
【図５】
2008108058.tif 000007
【図６】
2008108058.tif 000008